(57)【要約】【課題】  動画の撮影が行われている最中にも、静止画を表示する機能を有するカメラ装置を提供する。【解決手段】  動画撮影機能、静止画撮影機能を具備し各撮影画像を再生して画面に表示するカメラ装置において、動画撮影を継続しながら前記画面２０５上に動画撮影画像２０１と共に静止画の再生画像２０２を表示する手段と、前記画面上に動画撮影画像と同時に表示されている静止画の再生画像を記録から削除する手段とを備えたことを特徴とするカメラ装置。【選択図】      図２
2006295411.tif 000002
【特許請求の範囲】
【請求項１】
動画撮影機能、静止画撮影機能を具備し各撮影画像を再生して画面に表示するカメラ装置において、
動画撮影を継続しながら前記画面上に動画撮影画像と共に静止画の再生画像を表示する手段を
備えたことを特徴とするカメラ装置。
【請求項２】
動画撮影機能、静止画撮影機能を具備し各撮影画像を再生して画面に表示するカメラ装置において、
動画撮影を継続しながら前記画面上に動画撮影画像と共に静止画の再生画像を表示する手段と、
前記画面上に動画撮影画像と同時に表示されている静止画の再生画像を記録から削除する手段とを
備えたことを特徴とするカメラ装置。
【請求項３】
前記動画撮影において撮影された動画中に前記静止画の再生画像が記録されることを防ぐ手段を備えたことを特徴とする請求項１に記載のカメラ装置。
【請求項４】
前記動画撮影において動画撮影画像と静止画の再生画像の表示位置を選択する手段を備えたことを特徴とする請求項１に記載のカメラ装置。
【請求項５】
前記動画撮影において動画撮影画像と静止画の再生画像の表示位置として動画の前に縮小した静止画を表示すること又は静止画の前に縮小した動画を表示すること又は縮小した動画と縮小した静止画を併置して表示することを行う手段を備えたことを特徴とする請求項１に記載のカメラ装置。
【発明の詳細な説明】
【技術分野】
【０００１】
本発明は、カメラ装置に係り、特に、動画撮影機能、静止画撮影機能を具備するカメラ装置に関する。
【背景技術】
【０００２】
動画撮影機能、静止画撮影機能を具備するカメラ装置が実用化されている。このようなカメラ装置は動画、静止画それぞれの表示機能を有する。
この動画、静止画の表示機能に関し、撮影前の撮影対象の状況をモニタリングする場合に動画、静止画の撮影対象範囲を区別して表示する方式が提案されている。例えば特開２００３−２５９１６１号公報（特許文献１）によるものは、静止画の撮影対象範囲が動画の撮影対象範囲より広く、区別するために広い方の静止画の撮影対象範囲をモニタリング時は表示しておき、その表示中に狭い方の動画の撮影対象範囲を例えば枠線等で示すといった方式である。他方動画、静止画の撮影機能に関し、動画の撮影中に静止画を撮影することが行われる場合があった。
【０００３】
しかしながら特許文献１での処理手順においては、動画の撮影中にはその動画撮影あるいは以前の動画撮影あるいは動画撮影中ではないときに撮影した静止画を表示することが含まれてはいない。よって、動画の撮影が、例えばその場で撮影した静止画を表示して残すものであるか等チェックを行うには拘束となっているという問題があった。
【０００４】
一般に、カメラ装置における静止画撮影は、撮影画像をすぐ確認でき、不要であれば削除したり、失敗画像であれば再度撮影できることが特徴のひとつである。また、動画撮影は一連のシーンを撮影するため、撮影時間は数分から数十分かかることが多い。従来の動画撮影機能、静止画撮影機能を有するカメラ装置は、動画撮影中に静止画の表示等の操作が行えない。
【特許文献１】特開２００３−２５９１６１号公報（第７頁、図２）
【発明の開示】
【発明が解決しようとする課題】
【０００５】
本発明は、動画の撮影が行われている最中にも、静止画を表示する機能を有するカメラ装置を提供することを目的とする。
【課題を解決するための手段】
【０００６】
上記課題を解決するために、本発明のカメラ装置は、動画撮影機能、静止画撮影機能、動画再生機能、静止画再生機能を具備し各撮影画像、再生画像を画面に表示するカメラ装置において、動画撮影を継続しながら前記画面上に動画撮影画像と共に静止画の再生画像を表示する手段を備えたことを特徴とする。
【発明の効果】
【０００７】
本発明によれば、動画の撮影が行われている最中にも、静止画を表示する機能を有するカメラ装置が得られる。
【発明を実施するための最良の形態】
【０００８】
以下、本発明の実施例を説明する。
【実施例１】
【０００９】
本発明によるカメラ装置の実施例１を図１乃至図６を参照して説明する。
図１は、カメラ装置の機能構成図である。
本カメラ装置は、図１に示されているように、不図示のA/D変換出力１０１、カメラ信号処理回路１０２、JPEG圧縮処理回路１０３、MPEG圧縮処理回路１０４、メモリ回路１０５、ハードディスク１０６、メモリカード１０７、ビデオデコーダ１０８、ＬＣＤドライバ１０９、ＬＣＤ１１０、ＵＳＢコントローラ１１１、ＵＳＢ入出力端子１１２、ＣＰＵ１１３、操作キー１１４等を備えている。
【００１０】
A/D変換出力１０１は、カメラ装置においてモニタリングされた画像のＣＣＤ出力アナログ信号をデジタル信号に変換し、次のカメラ信号処理回路１０２に送る。カメラ信号処理回路１０２はこのデジタル信号を静止画処理のためのJPEG圧縮処理回路１０３、動画処理のためのMPEG圧縮処理回路１０４と画像の縮小や合成のためのメモリ回路１０５に送る。メモリ回路１０５はJPEG圧縮処理回路１０３で圧縮された静止画とMPEG圧縮処理回路１０４で圧縮された動画とを、記録のためにハードディスク１０６または不揮発性メモリで構成されているメモリカード１０７に送る。
【００１１】
画像の表示は、ビデオデコーダ１０８がメモリ回路１０５より画像データを取り込んでＬＣＤドライバ１０９にＮＴＳＣ信号等の形式で送り、ＬＣＤドライバ１０９はこの画像データをＬＣＤ用のデジタルＩ／Ｆ形式にしてＬＣＤ１１０に送り、ＬＣＤ１１０がこの画像データを表示することによって行われる。
【００１２】
カメラ装置における撮影は、上記のモニタリングにおいてメモリ回路１０５内に蓄積されている画像を、ハードディスク１０６またはメモリカード１０７に記録することによって行われる。
【００１３】
カメラ装置における再生は、ハードディスク１０６またはメモリカード１０７から読み出された画像が、静止画時はJPEG伸長処理回路１０３ 、動画時はMPEG伸長処理回路１０４、メモリ回路１０５、ビデオデコーダ１０８を介し、ＬＣＤドライバ１０９を経てＬＣＤ１１０上に表示されることによって行われる。
【００１４】
ハードディスク１０６またはメモリカード１０７に記録された静止画または動像を外部機器に転送あるいは外部機器から受信するときは、ＵＳＢコントローラ１１を介しＵＳＢ入出力端子１１３から送受信する。
【００１５】
ＣＰＵ１１３は本カメラ装置の動作を制御するために設けられたプロセッサであり、ユーザによる操作キー１１４の操作によって発生した信号により、操作に応じて静止画、および動画の記録開始、停止や画像の再生等、各制御回路を操作し本カメラ装置の各機能・動作を実現する。
【００１６】
図２は、カメラ装置の動画と静止画の合成の概念図である。本画像の合成作業はメモリ回路１０５内で行われる。動画像２０１は、モニタリングされた画像のＣＣＤ出力アナログ信号をA/D変換出力１０１でデジタル信号に変換しカメラ信号処理回路１０２を介して得られ、MPEG圧縮処理回路１０４へ送られるのと同時に、メモリ内の別の領域に縮小画像２０４として出力される。MPEG圧縮された動画像データは、ハードディスク１０６またはメモリカード１０７に記録される。静止画像２０２は、ハードディスク１０６またはメモリカード１０７から読み出され、JPEG処理回路１０３にて伸長されて得られる。ここで得られた動画像の縮小画像２０４および静止画像２０４とアイコンデータ２０３は、メモリ内で合成され、合成画像２０５としてビデオデコーダ１０８を介し、ＬＣＤドライバ１０９を経てＬＣＤ１１０上に表示される。上記により、動画撮影を行いながら静止画の再生画像を表示することができる。
【００１７】
図３は、図２に示したカメラ装置の画像表示方法の別の例であり、動画撮影画像と静止画の再生画像の表示位置を選択することを示すものである。（ａ）は図２の２０５の表示とは反対に動画をそのままに表示しその前面に静止画を縮小表示したものである。（ｂ）は所謂ダブルウィンドウの表示であり、動画と静止画を同じ大きさに左右に表示している。
【００１８】
図４は、図１に示したカメラ装置のメモリ内処理例であり、図３（ａ）のような動画撮影を継続しながら画面上に動画撮影画像と共に静止画の再生画像を表示する手段を説明するための図である。図１のメモリ１０５内に動画像２０１用、静止画像２０２用と合成画像用の３つの収納エリアが設けられている。動画撮影時には動画像２０１用の収納エリアに動画が収納され続けており、その最中に予め撮影され静止画像２０２用の収納エリアに収納されている静止画再生が操作キー１１４から指示されると、静止画の縮小と動画像の合成が逐次行われて、合成の結果である合成画像（例えば図３（ａ））が合成画像用の収納エリアに納められ、この合成画像が取出されてビデオデコーダ１０８に送られることにより、その後ＬＣＤドライバ１０９を経由した合成画像がＬＣＤ１１０に表示される。ここにおいて、動画撮影を継続しながら画面上に動画撮影画像と共に静止画の再生画像を表示することが実現される。動画合成前の動画像データは別途MPEG圧縮処理回路１０４に送られその後ハードディスク１０６またはメモリカード１０７に記憶される。結局、動画像２０１用と合成画像用との収納エリアを別にしたことにより、結果として動画には静止画の再生画像は記録されることを防止している。
【００１９】
図５は、図１に示したカメラ装置のメモリ内処理の別の例であり、やはり動画撮影を継続しながら画面上に動画撮影画像と共に静止画の再生画像を表示する手段を説明するための図である。ここでは、ビデオデコーダ１０８が所謂２プレーン入力を有することが前提である。
【００２０】
図１のメモリ１０５内に動画像２０１用、静止画像２０２用と静止画縮小画像用の３つの収納エリアが設けられている。動画撮影時には動画像２０１用の収納エリアに動画が収納され続けており、その最中に予め撮影され静止画像２０２用の収納エリアに収納されている静止画再生が操作キー１１４から指示されると、静止画の縮小が行われて縮小の結果である静止画縮小画像が静止画縮小画像用の収納エリアに納められ、この静止画縮小画像と前述の動画像２０１用の収納エリアに収納され続けている動画像との２つの画像が取出されてビデオデコーダ１０８に送られる。ビデオデコーダ１０８ではこの２つの画像の合成が逐次行われて、この合成画像が取出されてビデオデコーダ１０８に送られることにより、その後ＬＣＤドライバ１０９を経由した合成画像がＬＣＤ１１０に表示される。ここにおいて、動画撮影を継続しながら画面上に動画撮影画像と共に静止画の再生画像を表示することが実現される。図３の例と同じく合成前の動画像データは別途MPEG圧縮処理回路１０４に送られその後ハードディスク１０６またはメモリカード１０７に記憶される。結局図４の場合とは異なる形態として、動画像２０１用の収納エリアと合成画像用の回路とを別にしたことにより、結果として動画には静止画の再生画像は記録されることを防止している。
【００２１】
図５の例においては図４の例と比較して、２プレーン入力を有するというより高機能なビデオデコーダ１０８を用いることにより、ＣＰＵ１１３が画像を合成する処理を行うという負荷を除くことができるという利点がある。
【００２２】
図６は、図２に示したカメラ装置の静止画表示のフローである。ユーザの操作キー１１４からの動画撮影開始の指示に応じて、動画撮影開始ステップ３０１では、動画撮影が開始される。次に静止画再生指示判断ステップ３０２では、ユーザの操作キー１１４からの静止画再生指示に応じて、指示がない場合は次の動画撮影終了指示判断ステップ３０３へ制御が移り、ユーザの操作キー１１４からの動画撮影終了指示が有れば応じて次の動画撮影終了ステップ３０４へ移り動画撮影終了を行ってフローの終了となり、他方動画撮影終了指示が無ければ静止画再生指示判断ステップ３０２に処理が戻る。
【００２３】
図６のフローを図４と対応付けキーとなる動作を説明すると、まず動画撮影開始ステップ３０１で動画撮影が開始されると、動画像２０１用の収納エリア内に動画像が収められる。別途ユーザの操作キー１１４よりの記録指示により、この動画像はMPEG処理を経由してハードディスク１０６またはメモリカード１０７へ記録される。次に静止画再生指示判断ステップ３０２でユーザの操作キー１１４からの静止画再生指示にがある場合は、静止画再生ステップ３０５に移り予め撮影され静止画像２０２用の収納エリア内に収められた静止画が再生される。この再生された静止画が縮小され、動画像２０１用の収納エリアよりの動画との合成がＣＰＵ１１３の処理により行われて結果の合成画像が合成画像用の収納エリアに収められ、この合成画像が取出されてビデオデコーダ１０８に送られる。
【００２４】
また図６のフローを図５と対応付けキーとなる動作を説明すると、まず動画撮影開始ステップ３０１で動画撮影が開始されると、動画像２０１用の収納エリア内に動画像が収められる。別途ユーザの操作キー１１４よりの記録指示により、この動画像はMPEG処理を経由してハードディスク１０６またはメモリカード１０７へ記録される。次に静止画再生指示判断ステップ３０２でユーザの操作キー１１４からの静止画再生指示にがある場合は、静止画再生ステップ３０５に移り予め撮影され静止画像２０２用の収納エリア内に収められた静止画がＣＰＵ１１３の処理により縮小されて縮小された静止画像用の収納エリア内に収められる。この縮小画像が取出され、動画像２０１用の収納エリアよりの動画との合成がビデオデコーダ１０８において行われて合成画像が得られる。
【００２５】
本実施例においては、このように動画像と静止画像を合成し表示させることにより、動画撮影中でも静止画の表示を行うことができる。図３（ａ）の表示について説明したが、動画撮影画像と静止画の再生画像の表示位置の選択として図２の２０５の表示を行う場合には、静止画の縮小画像の代わりに動画の縮小画像を扱う構成、フローとすれば良い。また、図３（ｂ）の表示を行う場合には、図４の構成においては合成画像を作る際に静止画の縮小と動画の縮小の双方を行えばよく、図５の構成においては縮小画像用のエリアとして静止画縮小画像用のエリアのみではなく動画縮小画像用のエリアも設け、この２つの縮小画像用のエリアの出力をビデオデコーダ１０８に入力すればよい。
【実施例２】
【００２６】
本発明によるカメラ装置の実施例２を図７及び図８を参照して説明する。尚実施例２では静止画削除に関する画像表示例と対応する静止画削除のフロー以外の処理は実施例１と共通であるため、共通部分の説明は省略する。
【００２７】
図７は、図１に示したカメラ装置の静止画削除表示の例である。実施例１の図２の合成画像２０５との共通表示の上に、「削除しますか？」という静止画削除のためのプロンプトが表示されている。
【００２８】
図８は、静止画削除のフローである。ステップ４０１〜４０５は各々図６のフローの３０１〜３０５に対応するものであり、他のステップを中心に動作を説明する。
静止画再生ステップ４０５では、実施例１と同様に静止画再生が行われるが、次の静止画削除指示判断ステップ４０６では、上述の図７のような静止画削除のためのプロンプトの表示をカメラ装置のユーザが確認し、YesまたはNoの意思を操作キー１１４から入力する。この2種類の入力に応じて以下の分岐が行われる。静止画削除指示判断ステップ４０６でNoが入力された場合は静止画終了判断ステップ４０７になり、対象の静止画が尽きていれば動画撮影終了指示判断ステップ４０３となり、対象の静止画が尽きていなければ静止画再生ステップ４０５に戻り、次の削除対象静止画が静止画再生ステップ４０５で表示される処理となる。また静止画削除指示判断ステップ４０６でYesが入力された場合は静止画削除ステップ４０８で静止画を削除した後、静止画終了判断ステップ４０７になり、以下Noが入力された場合と同様の処理となる。このフローにより、予め撮影され静止画像２０２用の収納エリア内に収められた後削除し、再生されている静止画データをハードディスク１０６またはメモリカード１０７に記録する対象から除外することが可能となる。
【００２９】
図８のフローを図７と対応付けキーとなる動作を説明すると、まず静止画削除指示判断ステップ４０６でNoが入力された場合は静止画終了判断ステップ４０７になり、ＣＰＵ１１３が対象の静止画が尽きているかを確認し、尽きていれば動画撮影終了指示判断ステップ４０３となり、対象の静止画が尽きていないことをＣＰＵ１１３が確認すれば静止画再生ステップ４０５に戻り、次の削除対象静止画を取出し静止画再生ステップ４０５で表示する。また静止画削除指示判断ステップ４０６でYesが入力された場合は静止画削除ステップ４０８でＣＰＵ１１３は静止画を上記のように削除する。
【００３０】
実施例２においては実施例１と比較して、処理フローで３ステップを加えることにより、動画撮影中に静止画の削除が可能という利点がある。
【図面の簡単な説明】
【００３１】
【図１】本発明によるカメラ装置の実施例１の機能構成図。
【図２】カメラ装置の実施例１の動画と静止画の合成の概念図。
【図３】カメラ装置の実施例１の画面表示方法の別の例。
【図４】カメラ装置の実施例１のメモリ内処理例１。
【図５】カメラ装置の実施例１のメモリ内処理例２。
【図６】カメラ装置の実施例１の静止画表示のフロー。
【図７】カメラ装置の実施例２の静止画削除表示の例。
【図８】カメラ装置の実施例２の静止画削除のフロー。
【符号の説明】
【００３２】
１０１  A/D変換出力
１０２  カメラ信号処理回路
１０３  JPEG圧縮処理回路
１０４  MPEG圧縮処理回路
１０５  メモリ回路
１０６  ハードディスク
１０７  メモリカード
１０８  ビデオデコーダ
１０９  ＬＣＤドライバ
１１０  ＬＣＤ
１１１  ＵＳＢコントローラ
１１２  ＵＳＢ入出力端子
１１３  ＣＰＵ
１１４  操作キー
２０１  動画
２０２  静止画
２０３  アイコンデータ
２０４  縮小動画
２０５  合成画像
３０１  動画撮影開始ステップ
３０２  静止画再生指示判断ステップ
３０３  動画撮影終了指示判断ステップ
３０４  動画撮影終了ステップ
３０５  静止画再生ステップ
４０１  動画撮影開始ステップ
４０２  静止画再生指示判断ステップ
４０３  動画撮影終了指示判断ステップ
４０４  動画撮影終了ステップ
４０５  静止画再生ステップ
４０６  静止画削除指示判断ステップ
４０７  静止画終了判断ステップ
４０８  静止画削除ステップ
【図１】
2006295411.tif 000003
【図２】
2006295411.tif 000004
【図３】
2006295411.tif 000005
【図４】
2006295411.tif 000006
【図５】
2006295411.tif 000007
【図６】
2006295411.tif 000008
【図７】
2006295411.tif 000009
【図８】
2006295411.tif 000010